(57)【要約】      （修正有）【課題】焼酎の製造現場において，簡易に短時間でサツマイモの水分が測定できる測定方法および測定装置を提供する。【解決手段】２個の平行な電極１１を用いて試験体の静電容量を測定し，事前に調べた試験体の検量データから水分を求める測定装置において，２個の電極１１を試験体に刺して測定し，前記電極の少なくとも一方は，電極１１の根元側に，絶縁層１２を介在させて外部導電体１３を被覆し，同軸ケーブルのような構造にすることで，根元部分を非検出部位にしていることを特徴とする。【選択図】図２
2012145478.tif 000002
【特許請求の範囲】
【請求項１】
２個の平行な電極を用いて試験体の静電容量を測定し，事前に調べた試験体の検量データから水分を求める測定装置において，２個の電極を試験体に刺して測定し，前記電極の少なくとも一方は，電極の根元側に，絶縁層を介在させて外部導電体を被覆し，同軸ケーブルのような構造にすることで，根元部分を非検出部位にしていることを特徴とする試験体の水分測定方法
【請求項２】
前記電極は，太さが１．５ｍｍ以上２ｍｍ以下の針形状のもので，その間隔は中心位置で５ｍｍ以上１５ｍｍ以下であり，試験体に刺し込む最大の長さは１０ｍｍ以上２０ｍｍ以下であることを特徴とする請求項１記載の試験体の水分測定方法
【請求項３】
前記試験体がサツマイモ等の根菜類であることを特徴とする請求項１又は２のいずれかに記載の試験体の水分測定方法
【請求項４】
２個の平行な電極を用いて試験体の静電容量を測定し，事前に調べた試験体の検量データから水分を求める測定装置において，２個の電極を試験体に刺して測定し，前記電極の少なくとも一方は，電極の根元側に，絶縁層を介在させて外部導電体を被覆し，同軸ケーブルのような構造にすることで，根元部分を非検出部位にしていることを特徴とし，前記電極は，太さが１．５ｍｍ以上２ｍｍ以下の針形状のもので，その間隔は中心位置で５ｍｍ以上１５ｍｍ以下であり，試験体に刺し込む最大の長さは１０ｍｍ以上２０ｍｍ以下であることを特徴とするの試験体の水分測定装置
【発明の詳細な説明】
【技術分野】
【０００１】
本発明は，２個の平行な電極を用いて試験体の静電容量を測定し，事前に調べた試験体の検量データから水分を求める測定装置に関するものである。
【背景技術】
【０００２】
南九州の特産品である芋焼酎は，サツマイモを主原料として製造される。サツマイモに含まれるデンプンを，微生物の発酵作用でアルコールにすることで製造する。
【０００３】
焼酎製造におけるアルコール収量は，原料と製造管理（発酵，蒸留等）によって左右される。そして，芋焼酎の主原料であるサツマイモは品種や産地（土壌），天候，栽培技術等によってそのデンプン価（デンプンと糖の総量）が増減する。
【０００４】
そのため製造現場では，アルコール収量の変動が原料によるものか，製造管理によるものか把握することが重要であるため，原料のデンプン価測定が必要となっている。また，そのデンプン価も原料全体の平均的な値を得るためには，ある程度多くのサンプルを測定する必要がある。
【０００５】
サツマイモのデンプン価は，サツマイモに含まれる水分と密接に関係していることから，日本醸造協会発行の“第四回改正国税庁所定分析法注解”にはデンプン価と水分の換算表が規定されている。つまり，水分を測定すればデンプン価を把握することが可能となる。
【０００６】
サツマイモの水分を求める方法は，浸漬法，加熱乾燥法等がある。
【０００７】
浸漬法は，水中に浸漬させ試験体の正確な比重を測定し，そこから水分を算出する方法である。
【０００８】
加熱乾燥法は，サンプルを細かく切断し，加熱することで水分を蒸散し，乾燥前後の重量差から水分を求める方法である。
【０００９】
また，一般的な水分の測定方法として，電気特性を利用した手法がいくつか提案されている。
【００１０】
例えば，板状の電極２個を用い，試験体を挟み込んで電極間の静電容量を測定する方法が提案されている。（特許文献１参照）
【００１１】
また，試験体に電極を刺したり，埋没させたりして測定する方法として，土壌に棒状の電極を刺したり（特許文献２参照），液体に浸積したりして（特許文献３参照）静電容量を測定する方法が提案されている。
【先行技術文献】
【特許文献】
【００１２】
【特許文献１】特開２００３−２０７４７４号公報
【特許文献２】特開昭５８−１８１５６号公報
【特許文献３】特開平６−２０１６３４号公報
【発明の概要】
【発明が解決しようとする課題】
【００１３】
浸漬法は，主にジャガイモなどで用いられる手法であるが，サツマイモの場合は空隙が多く存在することから，減圧脱気といった特別な操作が必要とされる。多くの原料を一度に測定できるメリットはあるが，取り扱いの困難さから一般に利用されていない。
【００１４】
加熱乾燥法は，焼酎製造現場では一般的に用いられている方法であるが，手間がかかり，結果が得られるまで数時間かかることから，多くのサンプルを測定できず，原料全体から数個程度しか測定できない。このため焼酎製造現場ではデンプン価が十分把握できているとはいえず，原料に対するアルコール収量の予測や管理が十分でないのが現状である。
【００１５】
板状の電極２個を用いて試験体を挟み，誘電率を測定する方法は，形状の整った試験体には有効であるが，形状が歪なサツマイモではそのまま測定するには向いていない。仮に，製造現場において，サツマイモの形状を一定の大きさに揃えてから測定に供することは考えられるが，測定の手間を増大させることにつながり，適切な手段とはいえない。
【００１６】
電極を刺したり埋没させたりして測定する方法は，いずれの場合も規定の位置まで電極を埋没させるか，電極全体を試験体に埋没させることで，センシング量を一定にし，正確な測定値を得る構造になっている。サツマイモを対象とした場合，その堅さと表面形状の歪さから，電極を毎回一定の深さに刺して埋没させることは通常困難であり，同様の方法では測定値がばらつく。
【００１７】
この様に現在提案されている様々な手法では，焼酎の製造現場において，アルコール収量を予測できるだけの水分測定を実現できていない。
【００１８】
本発明は，上記課題に鑑みてなされたもので，簡易に短時間で試験体の水分が測定でき，アルコール収量が予測可能な測定方法および測定装置を提供することを目的とする。
【課題を解決するための手段】
【００１９】
課題を解決する手段は，２個の平行な電極を用いて試験体の静電容量を測定し，事前に調べた試験体の検量データから水分を求める測定装置において，２個の電極を試験体に刺して測定し，前記電極の少なくとも一方は，電極の根元側に，絶縁層を介在させて外部導電体を被覆し，同軸ケーブルのような構造にすることで，根元部分を非検出部位にしていることを特徴とする試験体の水分測定方法である。
【００２０】
前記電極が，太さが１．５ｍｍ以上２ｍｍ以下の針形状のもので，その間隔は中心位置で５ｍｍ以上１５ｍｍ以下であり，試験体に刺し込む最大の長さは１０ｍｍ以上２０ｍｍ以下であることを特徴とする試験体の水分測定方法である。
【００２１】
前記試験体がサツマイモ等の根菜類であることを特徴とする試験体の水分測定方法である。
【００２２】
２個の平行な電極を用いて試験体の静電容量を測定し，事前に調べた試験体の検量データから水分を求める測定装置において，２個の電極を試験体に刺して測定し，前記電極の少なくとも一方は，電極の根元側に，絶縁層を介在させて外部導電体を被覆し，同軸ケーブルのような構造にすることで，根元部分を非検出部位にしていることを特徴とし，前記電極は，太さが１．５ｍｍ以上２ｍｍ以下の針形状のもので，その間隔は中心位置で５ｍｍ以上１５ｍｍ以下であり，試験体に刺し込む最大の長さは１０ｍｍ以上２０ｍｍ以下であることを特徴とする試験体の水分測定装置である。
【００２３】
短時間で試験体の水分を測定するためには，試験体の電気特性を利用して静電容量を測定し，水分を求める手法が適している。また形状が歪なサツマイモのような試験体を対象とした場合，平板状の電極を表面に当てて測定するのではなく，電極を試験体内に埋没させ静電容量を求める方法が適している。
【００２４】
しかし，サツマイモのような堅く歪な試験体を対象とした場合，電極を毎回一定の深さに刺すことは通常困難であり，測定値がばらつく原因となる。
【００２５】
堅い試験体にも容易に刺すことが可能な形状としては，先端が鋭く電極全体の体積が小さな針形状の電極が適している。また，測定値は刺し込み深さにほぼ比例して大きくなるため，毎回一定の深さに刺さなければならない。
【００２６】
本発明の電極は針形状で，電極の根元側に絶縁層を介在させ，外部導電体を被覆し同軸ケーブルのような構造にしており，根元部分を非検出部位にしている特徴がある。
【００２７】
静電容量を測定する際には，２個の電極間に電気力線が発生しているが，外部導電体は通常電気的グランドに接続されることで，その部分に発生している電気力線を遮蔽し，外部導電体の内部の電極に電気力線が到達しないようにする効果があり，その結果として非検出部位とすることができる。
【００２８】
また非検出部位を作り出すための構造が電極そのものと一体化しており，電極の刺し易さ，メンテナンス性を損なわない効果がある。
【００２９】
この構造により，非検出部位まで電極が試験体に刺し込まれていれば，電極が斜めに刺さっても，電極の先端の検出部位は試験体の中にすべて埋没しており，刺し込み深さを意識することなく測定を行うことが可能となる。
【００３０】
電極の素材は，導電性を有し，腐食しづらく，堅いことが求められる。鉄，ステンレス，アルミなどの金属およびそれらをＣＶＤやＰＶＤやメッキ等により表面処理したものが利用可能である。
【００３１】
前記絶縁体は，エポキシ樹脂やフェノール樹脂やメラミン樹脂などが挙げられる。
【００３２】
外部導電体の素材は，針電極と同じく導電性を有し，腐食しづらいことが求められる。鉄，ステンレス，アルミなどの導電性金属およびそれらをＣＶＤやＰＶＤやメッキ等により表面処理したものが利用可能である。
【００３３】
前述の電極は，コンデンサを形成することから，その長さが長くなるほど，またその間隔が狭くなるほど，測定感度を向上させることができる。しかし，電極を長くすると反りが発生し易く，電極の間隔を一定にすることができない。また，針が太すぎたり，電極の間隔が狭かったりすると試験体に割れが生じてしまい，正確に測定することができない。
【００３４】
実験により針電極は，最大太さが１．５ｍｍ以上２ｍｍ以下で，その間隔は中心位置で５ｍｍ以上１５ｍｍ以下で，試験体に刺し込む最大の長さは１０ｍｍ以上２０ｍｍ以下であるとき，電極の反りがなく，試験体の割れも発生しないことを確認した。
【００３５】
静電容量の測定には，市販のＬＣＲメータを使用したり，自作の測定回路を用意して測定しても良い。
【００３６】
特に測定回路を省スペースで作成することにより，装置全体を片手に持てるほど小型化することができ，可搬性，取り扱い性に優れた測定装置とすることができる。
【００３７】
また測定装置には，表示装置を具備することで，測定結果をその場で確認することが可能となる。タッチパネル機能を有する表示装置を用いれば，操作のための入力装置であるボタンやスイッチを削減できるメリットがある。
【００３８】
また測定装置には，記録装置を具備することで，測定結果をその場で保存することが可能となる。記録装置にはフラッシュメモリを用いた記録媒体であるＵＳＢメモリ，ＳＤカードなどが適している。また，記録装置には一般的なパソコンで用いられているＦＡＴ（ファット）ファイルシステムを実装することで，記録した測定データ類を直ちにパソコンで閲覧，処理することを可能にする。
【発明の効果】
【００３９】
以上説明したとおり，本発明により，電極の刺し込み深さによるバラツキをキャンセルすることができ，計測精度を向上させることが可能となる。また，本技術を用いた水分測定装置により，従来の測定方法と比較して測定時間を大幅に短縮できる。そのため，多数の試験体を測定することが可能となり，原料全体の平均値を適切に把握することができ，焼酎製造の現場などでは，アルコール収量を高い精度で予測することが可能となる。アルコール収量の予測値と実収量に大きな差があった場合は，その原因が製造工程にあるとの推察も可能である。また，可搬性に優れた測定装置を作成することで，焼酎製造現場での測定はもちろんのこと，畑での簡便な測定も可能にし，農作物などの生育管理にも貢献することができる。
【発明を実施するための最良の形態】
【００４０】
以下に実施例を挙げて本発明を詳細に説明するが，本発明はこれらに限定されるものではない。
【実施例１】
【００４１】
２個の電極の反りと，試験体への影響を調べるために，２個の電極の太さと間隔と試験体に刺し込む長さをパラメータとして，実際のサツマイモに針電極１１を刺して検証した。
【００４２】
針電極１１の素材は，湿潤環境下の連続測定で錆などの腐食が発生しづらいこと，反りが発生しないように堅いことなどの条件からステンレスを使用した。
【００４３】
針電極は，静電容量の測定に使用する図３に示すセンサモジュール２０と同様の固定方法で，２個の針電極１１を平行に，かつ同じ長さ筐体から突出するように固定した。針電極１１の太さは１ｍｍ，１．５ｍｍ，２ｍｍ，２．５ｍｍとした。針電極１１の突出長さは１０ｍｍ，１５ｍｍ，２０ｍｍ，２５ｍｍとした。２本の針電極の間隔は５ｍｍ，１０ｍｍ，１５ｍｍとした。試験体には３０ｍｍ角の立方体に整形したサツマイモを用いた。
【００４４】
太さ，長さ，間隔それぞれの組み合わせで５個の試験体に針電極１１を刺して実験した。反りについては，Ｘ線装置を用いて，試験体に針電極１１が刺さった状態で確認した。また目視により試験体への影響を確認した。結果を図１に示す。
【００４５】
図中の”数字”は，針電極１１の根元と先端の間隔の差（単位ｍｍ）を試験体５個で平均した値である。”○”はＸ線装置の測定分解能である０．１ｍｍ以下の場合で，反りが発生していない状態を示している。”割れ”は試験体の針電極間に亀裂等が確認されたことを示している。
【００４６】
このことより，反りもなく，割れもないということを満足する条件は，太さが１．５ｍｍ〜２ｍｍ，刺し込む長さは１０ｍｍ〜２０ｍｍ，間隔は５ｍｍ〜１５ｍｍであった。
【実施例２】
【００４７】
非検出部位付き針電極１０を図２に示し説明する。針電極１１の素材はステンレスで太さは１．５ｍｍを用いた。針電極１１の先端から１０ｍｍを残してその他の部分にエポキシ接着剤の絶縁層１２を施し，外形１．８ｍｍ，内径１．６ｍｍのステンレス製パイプを外部導電体１３として被覆し，非検出部位付き針電極１０を作成した。
【００４８】
前記針電極を具備するセンサモジュール２０を図３に示し説明する。使用する２本の針電極のうち，１本は非検出部位付き針電極１０とし，もう１本は非検出部位を持たない太さ１．５ｍｍのステンレス製の針電極１１とした。２本の針電極は，どちらも筐体から２０ｍｍ突出するように絶縁体の固定治具２１により平行に固定した。針電極の間隔は５ｍｍとした。
【００４９】
針電極１本につき２本の同軸ケーブル２２を接続し，測定器との接続のためにＢＮＣコネクタ２３１〜２３４に接続した。４本の同軸ケーブル２２は，針電極側に最も近い位置で外部導体同士を結線し，非検出部位付き針電極１０の外部導電体１３に接続した。筐体は上記の部材が入る大きさのプラスチックケースを用いた。
【実施例３】
【００５０】
非検出部位の効果を確認するため，図４に示すように，測定装置としてＬＣＲメータ３１（横河ヒューレットパッカード製  ＨＰ４２８５Ａ）を用い，実施例２のセンサモジュール２０を接続して，１個のサツマイモを試験体３３として測定した。
【００５１】
ＬＣＲメータ３１とセンサモジュール２０は，対応するＢＮＣコネクタ同士（２３１と３１１，２３２と３１２，２３３と３１３，２３４と３１４）を同軸ケーブル３２で接続した。試験体３３はサツマイモを３０ｍｍ角の立方体に成形したものを用いた。３０ｍｍ角より小さくなると，針電極周辺に形成される電気力線が試験体３３の外側の空気層も多く測定してしまい，測定誤差が大きくなる。ＬＣＲメータ３１の測定条件は，測定周波数１ＭＨｚ，印加電圧  １Ｖで試験した。試験体３３に針電極を刺したときの測定結果を図５に示す。横軸は刺し込み深さ，縦軸は静電容量である。
【００５２】
針電極を試験体３３に徐々に刺し込むと，刺した針電極の長さの分だけ静電容量の値が増加する。Ａ点は非検出部位が試験体３３に刺さりはじめる位置である。非検出部位にさしかかると，それ以後は針電極を刺し込んでも，測定値はほとんど変化しない。つまり非検出部位においては，外部導電体１３の遮蔽効果により，電気力線が内部の針電極１１に到達しないため測定値に影響を及ぼさない結果が得られた。
【００５３】
このことから，針電極の先端１０ｍｍ部分のみで測定していることが確認でき，刺し込み深さによる測定値のバラツキを軽減することが可能となった。
【実施例４】
【００５４】
実施例３の測定方法で，２００個のサツマイモを試験体３３として測定し，水分との相関を確認した。
【００５５】
試験体３３は，１個のサツマイモのほぼ中央部分から３０ｍｍ角の立方体を１つ切りだして供した。測定が終了した試験体は，直ちに包丁で数ｍｍ角に細断し，そのうちの３ｇ程度を乾燥器で８０℃で３時間乾燥させ，乾燥前後の重量差から水分を求めた。
【００５６】
試験体２００個の静電容量の測定値と水分のグラフを図６に示す。横軸に静電容量，縦軸に水分を示している。これを基に１次近似で検量データを作成した。検量データは，ｘを静電容量，ｙを水分として，ｙ＝０．０２７２ｘ＋５１．６９５のようになった。
【実施例５】
【００５７】
ＬＣＲメータ３１に相当する測定回路４０を作成し，これに電極を一体化させた測定装置５０を作成した。測定装置のブロック図を図７に示し説明する。
【００５８】
発振器４１は，試験体の計測に必要な１ＭＨｚの正弦波と９０度位相差のある方形波を出力する機能を有する。Ｉ−Ｖコンバータ４２は，試験体に流れる電流を電圧に変換する機能を有し，自動平衡ブリッジ回路を形成する。位相検波器４３は，計測された値から容量成分と抵抗成分を分離する機能を有する。ＬＰＦ４４は，位相検波出力を積分し，ＤＣ出力得る機能を有する。Ａ／Ｄ４５は，ＤＣに変換されたアナログ信号を，デジタル値に変換する機能を有する。
【００５９】
本装置はタッチパネル機能を具備した表示装置４７を備え，測定した値の表示のほか，装置のコントロールを行うための入力装置としての機能を有する。また記録装置４８を備えており，測定値の記録をリアルタイムで行うことが可能となっている。記録装置はＳＤカードを用い，一般的なパソコンで採用されているＦＡＴファイルシステムを実装している。
【００６０】
上記機能はマイコン４６により制御され，得られた静電容量は表示装置４７に表示され，記録装置４８に記録される。発振器４１は非検出部位のない針電極１１に，Ｉ−Ｖコンバータ４２は非検出部位付き針電極１０に接続される。
【００６１】
この装置は，内部電源と外部電源の２種類の方法で駆動させることができる。電池４９１は乾電池等を用いる。電源コネクタ４９２には商用電源のＡＣ１００Ｖからの電力を接続する。これらの入力は，電源回路４９３により電圧を調整し内部回路を駆動する。
【００６２】
測定装置の外観図を図８に示し説明する。
【００６３】
測定装置５１は直方体の形状で，実施例２のセンサモジュールと同じ大きさ，同じ構造，同じ取付方で非検出部位付き針電極１０と非検出部位のない針電極１１の合計２本を具備している。表示装置５２はタッチパネル機能を有しており，測定結果を表示するほか，時間設定や測定条件など，測定装置５１の各種設定を行うことが可能である。ＳＤカード５３はＦＡＴファイルシステムにより，パソコンで閲覧や処理が可能な形で測定データが記録される。
【００６４】
電源アダプタ５８を電源コネクタ５４に接続して，商用電源での駆動を可能にしている。
内部電源として，電池５７を実装できるようにしている。電源スイッチ５５により，本体の電源をオンオフする。測定ボタン５６は，測定装置５１を片手で持ったとき，ちょうど親指がおかれる位置付近に配置した。これにより片手でサツマイモを持ち，もう一方の手で測定器を持ち測定した場合，自然に測定ボタンを押すことができ，持ち直しなどが発生せず，測定がスムーズに進む。装置未使用時における針電極の保護と，使用者の受傷防止のために電極キャップ５９を用意した。
【実施例６】
【００６５】
実際の焼酎製造現場で焼酎製造に供するサツマイモを測定し，製造後のアルコール収量との相関を確認する実験を行った。また，通常製造現場で行っているサツマイモのデンプン価の測定値との比較を行った。
【００６６】
対象とした焼酎工場では，１日の仕込み（焼酎タンク１本分）に５００ｋｇ入りの原料袋約３０袋を使用する。試験体のサツマイモは１つの原料袋から３個を抽出し，３０袋分合計９０個用意した。４日間の実験で，デンプン価の代表値と，アルコール収量の相関を確認するデータを４つ得た。
【００６７】
実施例５で作成した測定装置５１を用いて測定した。試験体のサツマイモは３０ｍｍ角に切りださずそのまま供し，サツマイモの中央付近側面に針電極を刺して測定した。
【００６８】
試験体のサツマイモ９０個分の静電容量を平均し，実施例４で求めた検量線により代表水分値とし，日本醸造協会発行の“第四回改正国税庁所定分析法注解”に記載されているデンプン価と水分の換算表によりデンプン価に変換した。得られた４日分の４つのデータを図９にプロットした（●マーク）。
【００６９】
また，比較対象として焼酎製造現場で日常行われている加熱乾燥法により求めた４日分のデンプン価も図９にプロットした（□マーク）。現場では通常１回の仕込みで３個程度のサンプルを測定している。
【００７０】
試作した測定装置５１で得られたデータは，アルコール収量が少ないときにはデンプン価も少なく，アルコール収量が多いときにはデンプン価も多く測定されており，ほぼ線形近似が可能な結果が得られた。
【００７１】
製造現場で求めたデンプン価においても，Ｂ点以外のデータではデンプン価がやや低く得られているものの，同様の傾向が確認できる。しかし，中にはＢ点のように，アルコール収量が高いにもかかわらず，デンプン価が低くなっている場合も存在する。これは，選択したサンプルが全体を代表する値から大きくはずれたものであったか，測定ミスがあった等の理由が考えられる。
【００７２】
この様に，従来の測定方法ではサンプル数が多く取れないため，測定した値が原料のデンプン価を代表していないことがあり，アルコール収量の変動が原料によるものか，製造管理によるものか明確にすることができない。
【００７３】
一方，測定時間が短くサンプル数を多く取ることが可能な本装置では，仕込みに用いたサツマイモのデンプン価をより平均的に求められ，本装置の有効性を示す結果が得られた。
【図面の簡単な説明】
【００７４】
【図１】針電極の反りとサツマイモの割れについての実験結果の説明図
【図２】非検出部位付き針電極の説明図
【図３】針電極を具備したセンサモジュールの説明図
【図４】LCRメータを用いた測定方法の説明図
【図５】非検出部位付き針電極の効果の説明図
【図６】サツマイモ２００個を測定して求めた静電容量と水分の検量データの説明図
【図７】作成した測定装置の構成の説明図
【図８】作成した測定装置の外観の説明図
【図９】アルコール収量と測定値との相関の説明図
【符号の説明】
【００７５】
１０  非検出部位付き針電極
１１  針電極
１２  絶縁層
１３  外部導電体
２０  センサモジュール
２１  固定治具
２２  同軸ケーブル
２３  ＢＮＣコネクタ
２３１  Ｈｃ端子
２３２  Ｈｐ端子
２３３  Ｌｐ端子
２３４  Ｌｃ端子
３１  ＬＣＲメータ
３１１  Ｈｃ端子
３１２  Ｈｐ端子
３１３  Ｌｐ端子
３１４  Ｌｃ端子
３２  同軸ケーブル
３３  試験体
４０  測定回路
４１  発振器
４２  Ｉ−Ｖコンバータ
４３  位相検波器
４４  ＬＰＦ
４５  Ａ／Ｄ
４６  マイコン
４７  表示装置
４８  記録装置
４９１  電池
４９２  電源コネクタ
４９３  電源回路
５０  測定装置
５１  測定装置
５２  表示装置
５３  ＳＤカード
５４  電源コネクタ
５５  電源スイッチ
５６  測定ボタン
５７  電池
５８  電源アダプタ
５９  電極キャップ
【図１】
2012145478.tif 000003
【図２】
2012145478.tif 000004
【図３】
2012145478.tif 000005
【図４】
2012145478.tif 000006
【図５】
2012145478.tif 000007
【図６】
2012145478.tif 000008
【図７】
2012145478.tif 000009
【図８】
2012145478.tif 000010
【図９】
2012145478.tif 000011